(57)【要約】    【構成】  集合排水装置１０は、排水ます１２およびヘッダ１４を備え、基礎１６上に配置される。排水ます１２の側面にヘッダ１４の流出口４４およびトイレに繋がる排水枝管３８が接続され、排水ます１２の出口２７に基礎１６を貫通する排水管２０が接続される。また、ヘッダ１４の流入口６０にトイレ以外の排水設備に繋がる排水枝管６２が接続される。    【効果】  トイレに繋がる排水枝管３８とこれ以外の排水設備に繋がる排水枝管６２とを分離することにより、トイレ以外の排水設備はトイレからの排水の影響を受けにくい。また、排水ます１２でトイレからの排水およびこれ以外の排水設備からの排水を集めて、排水管２０に流すことにより、トイレからの排水だけを流す排水管の配管、その排水管を基礎に貫通させるための穿孔、基礎１６の強度低下を抑えるための補強筋の設置をする必要がなく、施工性および経済性に優れる。【選択図】  図３
2007113343.tif 000002
【特許請求の範囲】
【請求項１】
建物内のトイレおよびトイレ以外の排水設備から排出される排水を集めて排水管へ流す、集合排水装置において、
少なくとも１つの流入口と１つの流出口とを有し、かつ前記流入口に前記トイレ以外の排水設備から排出される排水を流す排水枝管が接続されるヘッダ、および
少なくとも２つの入口と１つの出口とを有し、かつ前記少なくとも２つの入口の１つに前記トイレから排出される排水を流す排水枝管が接続される排水ますを備え、
前記少なくとも２つの入口の他の１つは前記流出口から排出される排水を受け、前記出口から排出される排水を前記排水管へ排出する、集合排水装置。
【請求項２】
前記排水ますの側面に前記入口が設けられ、前記排水ますの下部に前記出口が設けられる、請求項１記載の集合排水装置。
【請求項３】
一端が前記流出口に接続され、他端が前記入口に接続される接続管をさらに備える、請求項１または２記載の集合排水装置。
【請求項４】
側面に設けられた少なくとも１つの入口と下部に設けられた出口とを有する本体を備え、
前記入口の管軸が前記本体の管軸の直交軸から側方へ片寄らせられる、排水ます。
【請求項５】
少なくとも１つの接続口を有する本体、
前記本体の上方に設けられる継手部、および
前記継手部の側面に形成され、かつ排水枝管が接続される流入口を備え、
前記少なくとも１つの接続口は流出口として用いられる、ヘッダ。
【請求項６】
前記継手部が前記本体に対して回転自在に装着された、請求項５記載のヘッダ。
【請求項７】
前記継手部が前記本体に対して脱着可能に装着された、請求項５または６記載のヘッダ。
【請求項８】
継手部が前記本体に直接装着された前記継手部の上方に装着された、請求項５ないし７のいずれかに記載のヘッダ。
【請求項９】
請求項４記載の排水ますと請求項５ないし８のいずれかに記載のヘッダとを用いて、建物内のトイレおよびトイレ以外の排水設備から排出される排水を集めて排水管へ流す、集合排水装置であって、
前記ヘッダは少なくとも２つの接続口を有し、前記少なくとも２つの接続口の１つに前記トイレから排出される排水を流す排水枝管が接続され、前記少なくとも２つの接続口の他の１つは流出口として用いられ、
前記流入口に前記トイレ以外の排水設備から排出される排水を流す排水枝管が接続され、
前記少なくとも１つの入口は前記流出口から排出される排水を受け、前記出口から排出される排水を前記排水管へ排出する、集合排水装置。
【発明の詳細な説明】
【技術分野】
【０００１】
この発明は、集合排水装置およびヘッダに関し、特にたとえば、建物内の排水設備から排出された排水を集めて公共ますや下水管などと繋がる排水管へ流す、集合排水装置およびヘッダに関する。
【背景技術】
【０００２】
従来の集合排水装置およびヘッダの一例が、特許文献１および特許文献２に開示されている。
【０００３】
特許文献１の図２に示す住宅用排水システムでは、トイレに繋がる排水管および洗面所などトイレ以外の排水設備に繋がる排水枝管が１つのヘッダに接続され、そのヘッダに建物の基礎を貫通する排水主管が接続されている。
【０００４】
この場合、トイレは、他の排水設備を比較して、短時間に大量の水を排出するため、ヘッダの中が満水になりやすい。特に、トイレからの排水とその他の排水設備からの排水とが同時に排水されると、さらにヘッダの中が満水になる恐れが高まる。
【０００５】
また、トイレから排出される排水が、ヘッダを介してトイレ以外の排水設備に繋がる排水枝管に流入し、トイレ以外の排水設備を汚染してしまう恐れがある。
【０００６】
そこで、特許文献１の図１０に示す住宅用排水システムでは、トイレに繋がる排水枝管をこの他の排水設備に繋がる排水枝管と別系統にして、トイレに繋がる排水枝管はヘッダに接続されず、建物の基礎を貫通する排水主管に直接接続されている。
【０００７】
また、特許文献２の集合一括排水設備では、特許文献１の図１０に示す住宅用排水システムと同様に、トイレ以外の排水設備に繋がる排水枝管は集合ますに接続され、集合ますに基礎を貫通する排水主管が接続される。そして、トイレはこれらと別系統で、基礎を貫通する宅地内排水管に接続される。
【特許文献１】特許第３６３４２２６号公報［Ｅ０３Ｃ  １／１２２、Ｅ０３Ｆ  ３／０２、Ｆ１６Ｌ  ４１／０３］
【特許文献２】特開２００２−３２７４７４号公報［Ｅ０３Ｃ  １／１２２、Ｅ０３Ｆ  ３／０２、Ｆ１６Ｌ  ４１／０３］
【発明の開示】
【発明が解決しようとする課題】
【０００８】
特許文献１の図２に示す従来技術では、大量の排水が一度にヘッダに流入すると、ヘッダ内が満水になり、真空状態が形成されて、ヘッダに接続される排水設備の封水が破壊される恐れがある。このような場合、トイレからの汚物による臭いなどが、ヘッダを介して封水が破壊された排水設備から漏れ出してしまう。
【０００９】
また、特許文献１の図１０および特許文献２に示す従来技術では、トイレに繋がる排水枝管を、これ以外の排水設備に繋がる排水枝管と別系統にすることにより、トイレ以外の排水設備がトイレからの排水から影響を受けない。しかし、ヘッダや集合ますに接続する排水枝主管が基礎を貫通するだけでなく、トイレに繋がる排水枝管や宅地内排水管も基礎を貫通する。このため、穿孔だけでなく、基礎を貫通する孔が増えることによる基礎の強度低下を抑えるために補強筋を基礎内に設ける必要があり、材料コストや施工コストなどが嵩んでしまう。また、トイレに繋がる排水枝管などを、これ以外の排水設備に繋がる排水枝管と別に配管する必要があり、施工性が悪い。
【００１０】
それゆえに、この発明の主たる目的は、経済性および施工性に優れ、かつトイレ以外の排水設備にトイレからの排水の影響を与えない、集合排水装置およびヘッダを提供することである。
【課題を解決するための手段】
【００１１】
請求項１の発明は、建物内のトイレおよびトイレ以外の排水設備から排出される排水を集めて排水管へ流す、集合排水装置において、少なくとも１つの流入口と１つの流出口とを有し、かつ流入口にトイレ以外の排水設備から排出される排水を流す排水枝管が接続されるヘッダ、および少なくとも２つの入口と１つの出口とを有し、かつ少なくとも２つの入口の１つにトイレから排出される排水を流す排水枝管が接続される排水ますを備え、少なくとも２つの入口の他の１つは流出口から排出される排水を受け、出口から排出される排水を排水管へ排出する、集合排水装置である。
【００１２】
請求項１の発明では、集合排水装置は排水ますおよびヘッダを備え、排水ますはヘッダの流出口から排出される排水を受ける。また、排水ますの入口にトイレに繋がる排水枝管が直接接続され、ヘッダの流入口にトイレ以外の排水設備に繋がる排水枝管が接続される。
【００１３】
この集合排水装置によると、トイレ以外の排水設備のそれぞれから排出された排水は、流入口からヘッダ内に流入して、一度ヘッダで集められてから、合流した排水は流出口から排出される。次に、排水は排水ますの入口から流れ込み、排水ますの出口から排水管へ流される。また、トイレからの排水は、排水ますの入口から直接流入し、そこで他の排水と合流してから、出口から排水管へ流される。
【００１４】
このように、トイレ以外の排水の合流位置をヘッダとし、これらの排水とトイレからの排水との合流位置を排水ますとして、トイレからの排水とトイレ以外の排水設備からの排水との合流位置を分け、かつ排水ますをヘッダより下流側に設ける。これにより、トイレからの排水がトイレ以外の排水設備に繋がる排水枝管に流れ込みにくく、しかもヘッダの中が満水になりにくいため、トイレからの排水の逆流およびトイレ以外の排水設備における封水破壊が防止され、トイレ以外の排水設備はトイレからの排水に影響を受けにくい。
【００１５】
また、排水ますでトイレからの排水とトイレ以外からの排水とを集めて、集めた排水を排水ますに接続される排水管などにより下水管へ流すことにより、トイレからの排水がこれ以外からの排水と同一系統にまとめられる。このため、排水管を通すための基礎の貫通口の数が少なくて済み、貫通孔の穿孔や補強筋の配置などの作業を省け、かつ材料コストや施工コストが抑えられる。
【００１６】
請求項２の発明は、排水ますの側面に入口が設けられ、排水ますの下部に出口が設けられる、請求項１記載の集合排水装置である。
【００１７】
請求項２の発明では、排水ますの側面に入口を設けて、入口にトイレに繋がる排水枝管などを接続すると、排水ますの上方に空間が開くため、作業者が集合排水装置の維持管理をしやすい。
【００１８】
また、排水ますの下部に出口を設けて、出口に、たとえば下水管などに繋がる排水管を接続すると、トイレから排出される排水は排水ますの側方から流入して、排水管により排水ますの下方へ排出される。このため、排水ます内が満水になりにくく、排水設備の封水の破壊が生じにくい。
【００１９】
請求項３の発明は、一端が流出口に接続され、他端が入口に接続される接続管をさらに備える、請求項１または２記載の集合排水装置である。
【００２０】
請求項３の発明では、接続管の一端をヘッダの流出口に接続し、他端を排水ますの入口に接続して、ヘッダと排水ますとを接続管で離すことにより、トイレに繋がる排水枝管とトイレ以外の排水設備に繋がる排水枝管との遮断性が増し、トイレ以外の排水設備はトイレからの排水に影響を受けにくい。
【００２１】
また、接続管の長さを調整することにより、ヘッダの位置を排水設備の位置に合わせることができる。
【００２２】
請求項４の発明は、側面に設けられた少なくとも１つの入口と下部に設けられた出口とを有する本体を備え、入口の管軸が本体の管軸の直交軸から側方へ片寄らせられる、排水ますである。
【００２３】
請求項４の発明では、排水ますの入口の管軸を排水ますの管軸の直交軸から側方へ片寄らせると、排水は入口から排水ますへ偏心流入するため、排水ます内に旋回流が生じることにより通気が確保されて、排水は円滑に流れる。よって、排水ますが排水で満たされにくく、排水設備の封水破損が生じにくい。
【００２４】
請求項５の発明は、少なくとも１つの接続口を有する本体、本体の上方に設けられる継手部、および継手部の側面に形成され、かつ排水枝管が接続される流入口を備え、少なくとも１つの接続口は流出口として用いられる、ヘッダである。
【００２５】
請求項５の発明では、排水枝管からの排水が、継手部の側方から流入口へ流入し、それから継手部から本体へ流下して、本体を通って、流出口から排出される。
【００２６】
このように、継手部の側面に排水枝管を接続することにより、継手部の上方に空間を開けることができるため、作業者がヘッダの維持管理などをしやすい。
【００２７】
また、排水を継手部から本体へ流下させることにより、継手部へ流入する排水が、他の排水設備からの排水の影響を受けにくく、ヘッダにスムーズに流入し、他の排水と合流することができる。
【００２８】
請求項６の発明は、継手部が本体に対して回転自在に装着された、請求項５記載のヘッダである。
【００２９】
請求項６の発明では、排水設備の配置に合わせて、継手部を本体に対して回転することにより、排水設備と継手部との間を結ぶ排水枝管の配管を単純化したり、排水枝管の方向を変える曲部継手の使用箇所を減らしたりすることができ、施工性の向上や施工コストの低減が図られる。
【００３０】
請求項７の発明は、継手部が本体に対して脱着可能に装着された、請求項５または６記載のヘッダである。
【００３１】
請求項７の発明では、排水設備の数に合わせて、継手部の数を増減することができる。
【００３２】
請求項８の発明は、継手部が本体に直接装着された継手部の上方に装着された、請求項５ないし７のいずれかに記載のヘッダである。
【００３３】
請求項８の発明では、本体に継手部を装着し、その継手部に別の継手部をさらに装着して、継手部を２段重ねなどにすることができる。これにより、排水設備の数が継手部の数により制限されず、継手部、延いては排水設備の数を自由に増やすことができる。
【００３４】
請求項９の発明は、請求項４記載の排水ますと請求項５ないし８のいずれかに記載のヘッダとを用いて、建物内のトイレおよびトイレ以外の排水設備から排出される排水を集めて排水管へ流す、集合排水装置であって、ヘッダは少なくとも２つの接続口を有し、少なくとも２つの接続口の１つにトイレから排出される排水を流す排水枝管が接続され、少なくとも２つの接続口の他の１つは流出口として用いられ、流入口にトイレ以外の排水設備から排出される排水を流す排水枝管が接続され、少なくとも１つの入口は流出口から排出される排水を受け、出口から排出される排水を前記排水管へ排出する、集合排水装置である。
【００３５】
請求項９の発明では、ヘッダの少なくとも２つの接続口の１つにトイレに繋がる排水枝管が接続され、ヘッダの流入口にトイレ以外の排水設備に繋がる排水枝管が接続され、ヘッダの少なくとも２つの接続口の他の１つを流出口として用いられる。このため、トイレから排出される排水は接続口からヘッダに流入し、またトイレ以外の排水設備から排出される排水は流入口からヘッダに流入して、これらの排水はヘッダ内で合流する。そして、ヘッダ内で集められた排水は流出口から排出されて、入口から排水ますに流入し、排水ますの出口から排水管へ排出される。
【００３６】
このように、ヘッダ内でトイレから排出される排水とトイレ以外の排水設備から排出される排水とを集めて１つの排水管へ流すことができるため、トイレ専用の排水管などを設ける必要がない。このため、排水管を通すための基礎の貫通口の数が少なくて済み、貫通孔の穿孔や補強筋の配置などの作業を省け、かつ材料コストや施工コストが抑えられる。
【００３７】
また、接続口は本体に設けられ、流入口はこの本体の上方に設けられるため、トイレから排出された排水は接続口から本体に流入し、流入口の下方を流れる。よって、トイレから排出される排水が流入口からトイレ以外の排水設備に繋がる排水枝管へ逆流しにくい。
【００３８】
さらに、排水が入口から排水ますに流入する際、排水は偏心流入することにより、排水ます内に通気が確保されて、排水は円滑に流れる。このため、排水が排水ますやヘッダへ逆流して、排水ますやヘッダが満水になりにくいため、トイレ以外の排水設備の封水破壊が防がれる。
【発明の効果】
【００３９】
この発明によれば、トイレから排出される排水を流す排水枝管を排水ますに接続し、トイレ以外の排水設備から排出される排水を流す排水枝管をヘッダに接続することにより、施工性や経済性に優れながら、しかもトイレ以外の排水設備にトイレからの排水の影響を与えないようにすることができる。
【００４０】
この発明の上述の目的，その他の目的，特徴および利点は、図面を参照して行う以下の実施例の詳細な説明から一層明らかとなろう。
【発明を実施するための最良の形態】
【００４１】
図１に示すこの発明の一実施例である集合排水装置１０は、排水ます１２およびヘッダ１４を備え、ヘッダ１４は排水ます１２に接続される。集合排水装置１０は、図２〜図４に示すように、建物の床下に配置され、排水ます１２はべた基礎１６上に設置される。べた基礎１６の中には鞘管１８が設けられ、その鞘管１８の中に排水管２０が挿通される。
【００４２】
図５および図６に示す排水ます１２は、排水ます１２の側方から流入した排水を排水ます１２の下方へ排出する、いわゆるドロップますであり、塩化ビニルなど合成樹脂で形成される。排水ます１２の本体２２は、円筒形状であり、本体２２の径は、後述するトイレに繋がる排水枝管の径およびヘッダ１４の本体の径より大きい。本体２２の上端および下端は開口し、上端開口２４は、点検口などとして利用され、上端開口２４に蓋２６が装着される。また、下端開口は排水ます１２の出口２７として利用され、出口２７に排水管２０（図２）が接続される。
【００４３】
本体２２の側面に入口３６が設けられ、入口３６は少なくとも２つ、この実施例では３つの第１入口３６、第２入口３６および第３入口３６を有する。各入口３６は、受口構造であって、排水を入口３６から偏心流入させるために、入口３６の管軸３６ａが本体２２の管軸２２ａに直交する軸２２ｂから一方側方に片寄った状態で、設けられる。また、各入口３６は、本体２２側から開口に向かって僅かに上側に傾けられる。そして、図３および図４に示すように、第１入口３６に排水枝管３８が接続され、その排水枝管３８に、入口３６側から上り勾配が付けられて、たとえば建物の１階に設けられたトイレが接続される。また、第２入口３６に別の排水枝管３８が接続され、その排水枝管３８に、入口３６側から上り勾配が付けられて、たとえば建物の２階に設けられたトイレが接続される。さらに、第３入口３６にヘッダ１４が接続される。
【００４４】
ヘッダ１４は、塩化ビニルなど合成樹脂で形成され、本体４０を有し、本体４０はべた基礎１６から一定の高さになるように、固定具４２で保持される。図７〜図９に示すように、本体４０は管状で、その断面は縦長の楕円形状に形成される。本体４０の一方端は塞がれて、塞がれた面は曲面に形成される。また、本体４０の他方端は開口し、その開口により本体４０は１つの接続口を有する。この接続口は流出口４４として利用されて、排水ます１２の第３入口３６（図４）に接着接合される。また、本体４０の上面に複数、たとえば３つの連結口４６（図８）が設けられ、連結口４６と対向する本体４０の下面４０ａは、流出口４４側から管軸に沿って上り勾配が付けられる。
【００４５】
ヘッダ１４の連結口４６に継手部４８が接続されて、継手部４８は本体４０の上方に配置される。継手部４８は円筒形状に形成され、その径は後述する流入口に接続する排水枝管の径とほぼ同じ大きさに設定される。継手部４８の上端および下端は開口し、上端開口５０は連結口４６と同径で、ほぼ同形状に形成される。上端開口５０は点検口などとして利用され、蓋５２が脱着可能に装着される。蓋５２は円板形状の上部および円筒形状の下部を含み、蓋５２の外面にゴム輪５４が装着されたゴム輪溝５６が形成される。
【００４６】
継手部４８の下端部５８は蓋５２の下部とほぼ同径で同形状であり、下端部５８の外面にゴム輪溝５６が形成され、ゴム輪溝５６にゴム輪５４が嵌め込まれている。これにより、継手部４８の下端部５８は本体４０の連結口４６とゴム輪接合されて、継手部４８が本体４０に密閉されながら、脱着可能で、かつ回転自在に装着される。
【００４７】
継手部４８の側面に流入口６０が設けられ、流入口６０は、受口構造を有し、開口に向かって僅かに上側に傾けられる。流入口６０に可撓管などを用いた排水枝管６２（図２）が接続され、その排水枝管６２に、流入口６０から上り勾配が付けられて、トイレ以外の排水設備、たとえば流し台、風呂、洗濯機が接続される。
【００４８】
このような集合排水装置１０を用いると、図２〜図４に示すように、トイレ以外の排水設備から排出される排水は、排水枝管６２を流下して、流入口６０からヘッダ１４内に流入する。そして、ヘッダ１４の側方から流入した排水は、ヘッダ１４内において継手部４８から本体４０へ流れ落ちて、他の排水設備からの排水と合流しながら、下り勾配が付けられた下面４０ａ上を流下し、流出口４４から排出される。次に、排水は、第３入口３６から排水ます１２内に偏心流入し、本体２２の側面上を伝って螺旋を描きながら、出口２７へ流下して、排水管２０へ排出される。このとき、排水が旋回流を生じることにより、排水ます１２内に通気が確保されるため、排水は円滑に排水ます１２内を流下する。
【００４９】
また、トイレから排出される排水は、排水枝管３８を流下して、第１入口３６または第２入口３６を通って、排水ます１２内に偏心流入する。この流入した排水は、第３入口３６から流入する他の排水設備からの排水と合流しながら、螺旋を描いて出口２７へ流下する。そして、排水ます１２から排出された排水は、排水管２０を通って、下水管などへ流れる。
【００５０】
このように、排水ます１２の本体２２の径をヘッダ１４の本体４０の径やトイレに繋がる排水枝管３８の径より大きくし、かつ排水を排水ます１２へ偏心流入させることにより、大量の排水が排水ます１２内に一度に流入しても、排水ます１２内に通気が確保される。しかも、排水ます１２にドロップますを用いて、流入した排水を排水管２０へ流れ落とすため、排水が排水ます１２内に満水になりにくく、排水枝管３８、６２に接続された排水器具の封水破壊が防止される。これにより、排水管２０内の臭いが他の排水設備から漏れ出すことが防がれる。
【００５１】
そして、トイレに繋がる排水枝管３８を排水ます１２に接続し、他の排水設備に繋がる排水枝管６２をヘッダ１４に接続することにより、トイレからの排水の合流位置とトイレ以外の排水設備からの排水の合流位置とが分離される。また、ヘッダ１４が排水ます１２より上流側に設けられるため、トイレからの排水がヘッダ１４や他の排水設備などに逆流することが防がれる。
【００５２】
また、トイレ以外の排水設備に繋がる排水枝管６２をヘッダ１４を介して排水ます１２に接続し、トイレに繋がる排水枝管３８を排水ます１２に直接接続して、排水ます１２に排水管２０を接続することにより、トイレからの排水を流すための排水管を別に設けて、この排水管を通すための貫通孔を基礎に形成する必要がない。よって、排水管２０の配管、基礎の穿孔または補強筋の配置などの作業が省け、しかもこれらの材料コストや施工コストなどが抑えられるため、施工性および経済性に優れる。
【００５３】
さらに、排水設備の配置に合わせて、継手部４８を本体４０に対して回転することにより、排水設備と継手部４８との間を結ぶ排水枝管６２の配管を単純化したり、排水枝管６２の方向を変える曲部継手の使用箇所を減らしたりすることができるため、施工性の向上や施工コストの低減が図られる。
【００５４】
また、排水ます１２および継手部４８の上端を開口して、この開口２４、５０を点検口に利用することにより、各部分の点検や掃除などをすることができ、集合排水装置１０の維持管理の容易化が図られる。
【００５５】
そして、排水ます１２をべた基礎１６上に設置して、集合排水装置１０を床下の低い位置に設ける。しかも、トイレに繋がる排水枝管３８を側方から排水ます１２へ接続し、トイレ以外の排水設備に繋がる排水枝管６２を側方から継手部４８へ接続することにより、これらの排水枝管３８、６２を床下の低い位置から配管することができる。このため、排水枝管３８、６２に、緩やかな上り勾配を付けて、集合排水装置１０から遠くに位置する排水設備を接続することができる。また、集合排水装置１０の近くに位置する排水設備には、従来に比べて急な勾配を排水枝管３８、６２に付けることができる。さらに、集合排水装置１０や排水枝管３８、６２などの上方に空間が開くため、作業者が集合排水装置１０の維持管理をしやすい。
【００５６】
さらに、継手部４８の側方から流入した排水を下方にある本体４０へ流下させて、継手部４８へ流入する排水が他の継手部４８から流入する排水の影響を受けにくくすることにより、排水をヘッダ１４へ円滑に流入させて、他の排水と合流させることができる。また、これにより、ヘッダ１４内が満水になりにくく、ヘッダ１４に接続する排水設備の封水破壊を防止することができる。
【００５７】
なお、ヘッダ１４の連結口４６に継手部４８を装着したが、図１０に示すように、継手部４８に代えて蓋５２を装着することもできる。この場合、蓋５２が装着された連結口４６はヘッダ１４の点検口として利用される。そして、連結口４６は継手部４８の上端開口５０と同径で、ほぼ同形状であるため、継手部４８の上端開口５０を塞ぐ蓋５２を連結口４６の蓋として用いることができる。
【００５８】
また、継手部４８の上端開口５０に蓋５２を装着したが、図１１に示すように、継手部４８の上端開口５０に別の継手部４８の下端部５８を接続して、継手部４８を重ねることができる。これにより、継手部４８の数を増やすことができるため、排水設備の数が継手部４８の数により制限されず、排水設備の数を自由に増やすことができる。
【００５９】
この継手部４８を連結口４６にゴム輪接合により接続したが、継手部４８を連結口４６に接着接合することもできる。
【００６０】
さらに、ヘッダ１４の流出口４４を排水ます１２の第３入口３６に接着接合したが、接合方法はこれに限定されず、たとえば、ゴム輪接合によりこれらを接続することもできる。
【００６１】
そして、このヘッダ１４の流出口４４を排水ます１２に直接接続したが、図１２に示すように、接続管６４を介してこれらを接続することもできる。この場合、接続管６４は、一方に差口６６を有し、他方に受口６８を有する。差口６６は排水ます１２の第３入口３６に接続され、受口６８はヘッダ１４の流出口４４に接続される。そして、ヘッダ１４の流出口４４から排出される排水は、接続管６４を通って、排水ます１２に流れ込む。このように、ヘッダ１４と排水ます１２とを接続管６４で離すことにより、トイレに繋がる排水枝管３８とトイレ以外の排水設備に繋がる排水枝管６２との遮断性が増し、トイレ以外の排水設備はトイレからの排水に影響を受けにくい。また、接続管６４の長さを調整することにより、ヘッダ１４の位置を排水設備の位置に合わせることができる。
【００６２】
また、継手部４８の径を排水枝管６２の径とほぼ同じ大きさに設定したが、継手部４８の径を排水枝管６２の径より大きく設定することもできる。これにより、継手部４８内に通気が確保され、排水がヘッダ１４へ円滑に流入されて、ヘッダ１４内が排水で満水になりにくい。
【００６３】
図１３に示すこの発明の他の実施例である集合排水装置１０は、排水ます１２および複数、この実施例では３つのヘッダ７０を備える。なお、図１および図１２に示す集合排水装置１０と同様により共通する部分については同じ番号を付して説明を省略する。
【００６４】
図１４〜図１６に示すように、ヘッダ７０は、塩化ビニルなど合成樹脂で形成され、本体７２を有する。本体７２は管状で、その断面は縦長の楕円形状に形成される。本体７２の両端は開口され、この開口により本体７２は２つの接続口を有する。一方の接続口は、差口構造を有し、流出口７４として用いられる。また、他方の接続口は、受口構造を有し、接続口７６として用いられる。そして、本体７２の上面に、たとえば１つの連結口４６が設けられ、連結口４６に継手部４８が接続される。連結口４６と対向する本体７２の下面７２ａは、接続口７６から流出口７４に向かって下り勾配が付けられる。
【００６５】
そして、図１３に示すように、排水ます１２の第３入口３６に接続管６４の差口６６が接続され、接続管６４の受口６８にヘッダ７０の流出口７４が接続されて、１つ目のヘッダ７０は接続管６４を介して排水ます１２に接続される。また、１つ目のヘッダ７０の接続口７６に連結管７８の差口８０が接続され、連結管７８の受口８２に次のヘッダ７０の流出口７４が接続されて、２つ目のヘッダ７０は連結管７８を介して１つ目のヘッダ７０に接続される。さらに、３つ目のヘッダ７０は、その流出口７４が２つ目のヘッダ７０の接続口７６に直接接続される。そして、そのヘッダ７０の接続口７６に蓋８４が取り付けられ、接続口７６は塞がれる。
【００６６】
このように、ヘッダ７０に接続口７６を設けることにより、接続口７６に流出口７４を直接または連結管７８を介して接続し、複数のヘッダ７０を連結することができる。このため、排水設備の数などに合わせて、ヘッダ７０、つまり流入口６０の数を調整することができる。
【００６７】
また、直接または連結管７８を介してヘッダ７０を連結すると、ヘッダ７０の位置を排水設備などの位置に対応させることができるため、最適な配管が実現される。
【００６８】
なお、ヘッダ７０の流出口７４を差口構造にし、接続口７６を受口構造にしたが、これに限定されない。
【００６９】
図１７に示すこの発明の他の実施例である集合排水装置１０は、排水ます８６およびヘッダ７０を備える。なお、図１および図１３に示す集合排水装置１０と同様により共通する部分については同じ番号を付して説明を省略する。
【００７０】
図１７および図１８に示すように、排水ます８６は、ドロップますであり、塩化ビニルなど合成樹脂で形成される。排水ます８６の本体８８は円筒形状であり、その径はヘッダ７０の本体７２の径より大きく設定される。本体８８の上端および下端は開口し、上端開口２４に蓋２６が装着され、下端開口は排水ます８６の出口２７として排水管２０に接続される。
【００７１】
本体８８の側面に、たとえば１つの入口９０が設けられる。入口９０は、受口構造を有し、その管軸が本体８８の管軸に直交する軸から一方側方に片寄った状態で、設けられる。また、入口９０は本体８８側から開口に向かって僅かに上側に傾けられ、入口９０にヘッダ７０の流出口７４が接続される。
【００７２】
ヘッダ７０はその流出口７４を入口９０に接続することにより排水ます８６に連結される。そして、ヘッダ７０の接続口７６にはトイレに繋がる排水枝管３８が接続され、ヘッダ７０の上部に設けられる流入口６０にはトイレ以外の排水設備に繋がる排水枝管６２が接続される。
【００７３】
このような集合排水装置１０を用いると、トイレから排出される排水は、排水枝管３８を通り、ヘッダ７０内に流入し、本体７２内でトイレ以外の排水設備からの排水と合流しながら、下面７２ａ上を流下し、流出口７４から排出される。
【００７４】
また、トイレ以外の排水設備から排出される排水は、流入口６０からヘッダ７０内に流入し、継手部４８から本体７２へ流れ落ちて、トイレの排水設備からの排水と合流しながら、下面７２ａ上を流下し、流出口７４から排出される。
【００７５】
そして、これらの流出口７４から排出された排水は、入口９０から排水ます８６内に偏心流入し、本体８８の側面上を伝って旋回して通気を確保しながら、出口２７へ流下して、排水管２０へ排出される。
【００７６】
このように、トイレ以外の排水設備に繋がる排水枝管６２は、トイレからの排水が流れる本体７２より上方のヘッダ７０の上部に接続されている。しかも、排水が排水ます８６へ偏心流入し、通気が確保されることにより、排水は排水ます８６およびヘッダ７０へ逆流しにくい。このため、ヘッダ７０の本体７２を流れるトイレからの排水がトイレ以外の排水設備に繋がる排水枝管６２へ逆流しにくい。また、ヘッダ７０が満水になりにくいことにより、ヘッダ７０に接続される排水設備の封水破壊も生じにくい。
【００７７】
また、ヘッダ７０でトイレからの排水とトイレ以外の排水設備からの排水とを集め、排水ます８６を介して排水管２０へ流すことにより、基礎１６を貫通する排水管２０へ流す前にこれらの排水を一本化するため、鞘管１８を設置する数などを減らすことができ、施工性および経済性に優れる。
【００７８】
なお、ヘッダ７０を排水ます８６に直接接続したが、接続管６４を介してヘッダ７０を排水ます８６に接続することもできる。
【００７９】
また、図１７に示す集合排水装置１０に１つのヘッダ７０を設けたが、複数のヘッダ７０を用い、これらを連結して設けることもできる。このとき、複数のヘッダ７０を連結管７８により接続することもできる。
【００８０】
さらに、図１７では排水ます８６に１つの入口９０を設けたが、排水ます８６に複数の入口を設けてもよい。この場合、１つの入口９０にヘッダ７０の流出口７４を接続し、他の入口にトイレに繋がる排水枝管を接続することもできる。
【図面の簡単な説明】
【００８１】
【図１】この発明の一実施例の集合排水装置を示す平面図である。
【図２】図１の集合排水装置を床下に配置し、集合排水装置に排水管および排水枝管を接続した状態を示す断面図である。
【図３】図１の集合排水装置に排水管および排水枝管を接続した状態を示す平面図である。
【図４】図１の集合排水装置に排水管および排水枝管を接続した状態を示す側面図である。
【図５】図１の集合排水装置に用いられる排水ますを示す平面図である。
【図６】図５の排水ますを示す断面図である。
【図７】図１の集合排水装置に用いられるヘッダを示す平面図である。
【図８】図７のヘッダを示す縦断面図である。
【図９】図７のヘッダを示す横断面図である。
【図１０】この発明の別の実施例の集合排水装置に用いられるヘッダを示す断面図である。
【図１１】この発明のさらに別の実施例の集合排水装置に用いられるヘッダを示す断面図である。
【図１２】この発明のさらに別の実施例の集合排水装置に排水枝管を接続した状態を示す平面図である。
【図１３】この発明のさらに別の実施例の集合排水装置に排水枝管を接続した状態を示す平面図である。
【図１４】図１３の集合排水装置に用いられるヘッダを示す平面図である。
【図１５】図１４のヘッダを示す縦断面図である。
【図１６】図１４のヘッダを示す横断面図である。
【図１７】この発明のさらに別の実施例の集合排水装置に排水枝管を接続した状態を示す平面図である。
【図１８】図１７の集合排水装置を示す側面図である。
【符号の説明】
【００８２】
１０…集合排水装置
１２、８６…排水ます
１４，７０…ヘッダ
２２、８８…排水ますの本体
２２ａ…本体の管軸
２２ｂ…直交する軸
２７…出口
３６…入口
３６ａ…入口の管軸
３８、６２…排水枝管
４０、７２…ヘッダの本体
４４、７４…流出口
４８…継手部
６０…流入口
６４…接続管
７６…接続口
【図１】
2007113343.tif 000003
【図２】
2007113343.tif 000004
【図３】
2007113343.tif 000005
【図４】
2007113343.tif 000006
【図５】
2007113343.tif 000007
【図６】
2007113343.tif 000008
【図７】
2007113343.tif 000009
【図８】
2007113343.tif 000010
【図９】
2007113343.tif 000011
【図１０】
2007113343.tif 000012
【図１１】
2007113343.tif 000013
【図１２】
2007113343.tif 000014
【図１３】
2007113343.tif 000015
【図１４】
2007113343.tif 000016
【図１５】
2007113343.tif 000017
【図１６】
2007113343.tif 000018
【図１７】
2007113343.tif 000019
【図１８】
2007113343.tif 000020